(57)【要約】  【課題】ＡＬＣパネルの取付けにおけるボルト締め付け作業に使用するスパナであって、狭い場所や奥まった場所などに位置するボルトを容易に締め付けることができるスパナを提供する。  【解決手段】ＡＬＣパネルを建物躯体に対しプレートを介してボルトで締め付けるために使用するスパナ１０であって、一端にボルトに係合するスパナ口２１を他端に連結穴２２を備えた第１アーム２０と、一端に把持部３１を他端に連結穴３２を備えた第２アーム３０とを、前記両連結穴(連結部)３１、３２に嵌挿した連結軸４０を介し前記ボルト５０の回動方向へ回動可能に連結してなり、前記第２アーム３０の長さを前記第１アーム２０の長さよりも大きく、かつ３０ｃｍ以上とした。【選択図】図１
2010284751.tif 000002
【特許請求の範囲】
【請求項１】
軽量発泡コンクリートパネルを建物躯体に対しプレートを介してボルトで締め付けるために使用するスパナであって、一端にボルトに係合するスパナ口を他端に連結穴を備えた第１アームと、一端に把持部を他端に連結穴を備えた第２アームとを、前記両連結穴に嵌挿した連結軸を介し前記ボルトを締め付ける回動方向へ回動可能に連結してなり、前記第２アームの長さを前記第１アームの長さよりも大きく、かつ３０ｃｍ以上としたことを特徴とするスパナ。
【請求項２】
前記第１アームの長さが１０〜２０ｃｍであることを特徴とする請求項１に記載のスパナ。
【請求項３】
前記第１アームが、この第１アームに加えられた力をボルトの一定回動方向にのみ伝達するラチェット機構を有することを特徴とする請求項１または２に記載のスパナ。
【発明の詳細な説明】
【技術分野】
【０００１】
本発明は、軽量発泡コンクリートパネル（以下、ＡＬＣパネルと呼ぶ。）を建物躯体に対しプレートを介してボルトで締め付けるために使用するスパナの改良に関するものであり、さらに詳しくは、狭い場所や奥まった場所などにあるボルトであっても容易に締め付けることができるスパナに関するものである。
【背景技術】
【０００２】
ＡＬＣパネルは、コンクリートに比べて多孔質であるため、軽量性および断熱性が優れており、これらの特性を活かして建築材料、例えば建物の内外壁などの用途に広く使用されている。そして、鉄骨構造の建築物においては、鉄骨柱などの建物躯体に対するＡＬＣパネルの取付けは、主としてボルト締め付け作業により行われていた。
【０００３】
すなわち、図４に示したように、例えばＡＬＣパネルＰ１を鉄骨柱Ｈに取り付けるに際しては、鉄骨柱Ｈに固定された定規アングルＡとサンダープレートＳなどのプレート部材とを介して、ボルトＢにより締め付ける作業が必要とされ、このボルト締めには通常のスパナが専ら使用されていた。
【０００４】
しかるに、上記のボトル締めを行うに際しては、ボルトＢの締め付け位置が、例えば鉄骨柱Ｈなどの建物躯体と、これに重なったＡＬＣパネルＰ１との狭い場所となるために、ボルトＢを締め込む操作を行うためにスパナを持った作業員の手がその場所へ入りにくく、また例え手が入ったとしてもその手を自由に動かすことができないことから、ボルトＢの締め付け作業が極めて困難であるという問題があった。
【０００５】
このようなボルトの締め付け作業の困難性を解決したスパナの検討が従来から行われており、例えば、(１)ボルトに係合するスパナ口における支持部の上部にボルトと係合しない凹部を形成することにより、ボルトの締め付けを確実に行えるようにしたスパナ（例えば、特許文献１参照）、(２)スパナ口と一体的に構成される柄の側面にボルトに引っ掛かる鋸歯状の引掛突起を設け、この引掛突起により仮止めしたボルトを締め付けるようにしたスパナ（例えば、特許文献２参照）、および(３)ラチェット式ソケットと差し込み孔を設けたレンチ本体と、屈曲させたハンドルとを連結して狭い場所でのボルトの締め付けを容易に行うようにしたレンチ（例えば、特許文献３参照）などが提案されている。
【０００６】
しかしながら、上記(１)のスパナでは狭い場所や奥まった場所でのボルト締め付け作業が依然として困難であり、上記(２)のスパナは引掛突起によるボルト締め作業に熟練を要し作業が極めて面倒であるという問題を残していた。また、上記(３)のレンチは、レンチ本体にラチェット式ソケットを備えており、しかもハンドルが屈曲しているために、レンチ自体の厚みが増大して狭い場所や奥まった場所にあるボルトの部位へ挿入し難いばかりか、スパナ口とボルトとの係合が困難であるという問題を残していた。
【０００７】
したがって、従来のＡＬＣパネルの取付けにおけるボルト締め付け作業は、ボルトの締め付け場所が狭く奥まった場所で、しかも建物躯体やＡＬＣパネルの裏側の作業者が直視困難な場所にあるため、多くの手間や時間をかけて慎重に行う必要があったことから、その改良が頻りに望まれていた。
【特許文献１】実開昭５９−５５６６９号公報
【特許文献２】特開２００６−２８９５１５号公報
【特許文献３】特開２００３−３４０７３５号公報
【発明の概要】
【発明が解決しようとする課題】
【０００８】
本発明は、上述した先行技術における問題点の解決を課題として検討した結果達成されたものである。
【０００９】
したがって、本発明の目的は、ＡＬＣパネルの取付けにおけるボルト締め付け作業に使用するスパナであって、狭い場所や奥まった場所などに位置するボルトを容易に締め付けることができるスパナを提供することにある。
【課題を解決するための手段】
【００１０】
上記の目的を達成するために本発明によれば、ＡＬＣパネルを建物躯体に対しプレートを介してボルトで締め付けるために使用するスパナであって、一端にボルトに係合するスパナ口を他端に連結穴を備えた第１アームと、一端に把持部を他端に連結穴を備えた第２アームとを、前記両連結穴に嵌挿した連結軸を介し前記ボルトを締め付ける回動方向へ回動可能に連結してなり、前記第２アームの長さを前記第１アームの長さよりも大きく、かつ３０ｃｍ以上としたことを特徴とするスパナが提供される。
【００１１】
なお、本発明のレンチにおいては、
前記第１アームの長さが１０〜２０ｃｍであること、および
前記第１アームが、この第１アームに加えられた力をボルトの一定回動方向にのみ伝達するラチェット機構を有すること
が、いずれも好ましい条件として挙げられる。
【発明の効果】
【００１２】
本発明によれば、以下に説明するとおり、ＡＬＣパネルの取付けにおけるボルト締め付け作業に使用するスパナであって、狭い場所や奥まった場所などに位置するボルトを容易に締め付けることができるスパナが得られる。すなわち、本発明のスパナは、第１アームと第２アームとを連結軸を介して連結した薄型の治具であるため、狭く奥まった場所に位置するボルトへも、そのスパナ口を外部から位置合わせしてそのまま下降させるだけで確実にボルト位置へと到達させることができ、また作業者が外部から把持部を操作し第２アームを水平または垂直に直線動作するだけで、ボルトの締め付け作業を容易に完結することができる。
【発明を実施するための形態】
【００１３】
以下に、図面にしたがって本発明を詳細に説明する。
【００１４】
図１（Ａ）に示したように、本発明のスパナ１０の構成部材は、第１アーム２０、第２アーム３０、連結軸４０からなる。
【００１５】
そして、第１アーム２０は、一端にボルトに係合するスパナ口２１を他端に連結穴２２を備えており、第２アーム３０は、一端に把持部３１を他端に連結穴３２を備えており、図１（Ｂ）に示したように、本発明のスパナ１０は、これら第１アーム２０と第２アーム３０を、両連結穴２２、３２に嵌挿した連結軸４０を介してボルトの回動方向へ回動可能に連結されている。
【００１６】
ここで、第２アーム３０の長さは、第１アーム２０の長さよりも大きく、かつ３０ｃｍ以上であることが重要であり、第２アーム３０が第１アーム２０よりも短い場合には、ボルトの締め付け作業の容易化が困難となるため好ましくない。
【００１７】
なお、第１アーム２０の長さは１０〜２０ｃｍ程度で十分であり、その一端に開口したスパナ口２１の形状は、締め付けるボトルの頭部形状に合致する所望の形状を選択する。また、このスパナ口２１には、その内部にボルトと係合しない凹部を形成することにより、ボルトの締め付けが確実に行えるようにすることもでき、さらにはこの第１アーム２０に加えられた力をボルトの一定回動方向にのみ伝達するラチェット機構を有している場合には、ボルトの締め付け作業をより確実に遂行することができる。
【００１８】
第２アーム３０の長さは３０ｃｍ以上、特に３５ｃｍ以上であれば十分であるが、あまり長過ぎてもボルトの締め付け作業がし難くなるため、その上限は５０ｃｍ程度である。また、第２アームの一端に位置する把持部３１は、作業者がこれを手にして作業するハンドル機能を有するものであれば、特にその形状を制限するものではない。
【００１９】
第１アーム２０と第２アーム３０とを回動可能に連結する連結軸４０の機構としては、第１アーム２０と第２アーム体３０とをピン接合する方法などを挙げることができるが、中でもこの連結軸４０に、この第１アーム２０に加えられた力をボルトの一定回動方向にのみ伝達するラチェット機構を適用した場合には、ボルトの締め付け作業をより確実に遂行することができる。
【００２０】
次に、本発明のスパナ１０を使用して、ＡＬＣパネル取付用のボルト締め付け作業を行なう実例について、図２および図３にしたがって説明する。
【００２１】
なお、図２および図３では図面手前側の鉄骨柱やパネルなどについては図示していないが、図面の後方と前方の両者にある鉄骨柱やパネルなどの間の狭い隙間に位置するボルト５０の締め付け作業を表していることは言うまでもない。
【００２２】
まず、図２に示したように、作業者は第２アーム３０の把持部３１を手に、隙間の奥に位置するボルト５０を確認しながら、第１アーム２０のスパナ口２１とボルト５０とを上部から位置合わせし、次いで第１アーム２０を垂直に下降させることにより、スパナ口２１をボルト５０に係合させる。
【００２３】
次いで、図３に示したように、作業者が第２アーム３０を水平方向（矢印方向）へ引くまたは押すの作業を繰り返すことにより、ボルト５０はその回動方向へと回動されて、その締め付けが容易に達成されるのである。なお、この場合に第１アーム２０のスパナ口２１または連結軸４０側に、この第１アーム２０に加えられた力をボルト５０の一定回動方向にのみ伝達するラチェット機構が適用されていると、ボルト５０の締め付け作業をより確実かつ容易に達成することができる。この他、連結軸４０に第１アーム２０と第２アーム３０との角度を任意に設定する機能を持たせて、作業者の意志によって、第１アーム２０と第２アーム３０との間の角度を固定・解除をできるようにしてもよい。このような機構を備えると、スパナ口２１とボルト５０との係合が容易に実施可能になる。
【００２４】
このように、本発明のスパナによれば、狭く奥まった場所に位置するボルトへも、そのスパナ口を外部から位置合わせしてそのまま下降させるだけで確実にボルト位置へと到達させることができ、また作業者が外部から把持部を操作し第２アームを水平または垂直に直線動作するだけで、ボルトの締め付け作業を容易かつ確実に完結することができる。
さらに前述の実施例では、本発明に係るスパナをボルトの締め付けに使用した場合を説明しているが、本発明はこれに限定されず、ナットにも使用可能であるのは云うまでもない。また、ポルト・ナットを締め付ける場合だけでなく、緩める場合にも使用可能である。この場合、第１アーム２０に対して、ボルトを締め付ける回動方向または緩める回動方向に回動可能に第２アームが連結される。この他、連結軸４０などに第１アーム２０に対する第２アーム３０の回動方向をボルトの締め付け回動方向が、または緩める回動方向がを変更できる機構を設けて、作業者の操作によって第２アーム３０の回動方向を容易に変更できるようにしても良い。
【産業上の利用可能性】
【００２５】
以上説明したように、本発明のスパナは、ＡＬＣパネルの取付けにおけるボルト締め付け作業において、狭い場所や奥まった場所などに位置するボルトを容易に締め付けることができるため、ＡＬＣパネルを使用する建築施工現場への採用が大いに期待される。
【図面の簡単な説明】
【００２６】
【図１】（Ａ）本発明のスパナを構成する部材を示す正面図、（Ｂ）（Ａ）の構成部材を組立てなる本発明のスパナの一例を示す正面図。
【図２】図１のスパナを使用してＡＬＣパネル取付用のボルト締め付け作業を行っている状態を示す説明図。
【図３】図２に引き続くボルト締め付け作業の経過を示す説明図。
【図４】従来のＡＬＣパネル取付構造の一例を示す斜視図。
【符号の説明】
【００２７】
Ｐ１  ＡＬＣパネル
Ａ  定規アングル
Ｂ  ボルト
Ｈ  鉄骨柱
Ｓ  サンダープレート
１０  スパナ
２０  第１アーム
２１  スパナ口
２２  連結穴
３０  第２アーム
３１  把持部
３２  連結穴
４０  連結軸
５０  ボルト
【図１】
2010284751.tif 000003
【図２】
2010284751.tif 000004
【図３】
2010284751.tif 000005
【図４】
2010284751.tif 000006